(57)【特許請求の範囲】
【請求項１】
ユーザ装置（ＵＥ）により使用される装置であって、当該装置が、
ユニバーサル地上無線アクセスネットワーク（ＵＴＲＡＮ）によって通信するためのユニバーサル移動体通信システム（ＵＭＴＳ）無線装置と、
無線ローカルエリアネットワーク（ＷＬＡＮ）によって通信するためのＷＬＡＮ無線装置と、
前記ＵＭＴＳ無線装置及び前記ＷＬＡＮ無線装置に接続された制御回路であって、
ブロードキャストシグナリングによって、前記ＵＴＲＡＮと前記ＷＬＡＮとの間のトラフィックステアリングのための第１の無線アクセスネットワーク（ＲＡＮ）支援パラメータを取得し、
前記ＵＴＲＡＮのサービングセルにおける専用シグナリングによって、前記ＵＴＲＡＮと前記ＷＬＡＮとの間のトラフィックステアリングのための第２のＲＡＮ支援パラメータを取得するとともに、
前記第２のＲＡＮ支援パラメータに基づいて、前記ＵＭＴＳ無線装置と前記ＷＬＡＮ無線装置との間でトラフィックをステアリングするための前記制御回路とを備え、
前記第２のＲＡＮ支援パラメータがＷＬＡＮビーコン受信信号強度インジケーション（ＲＳＳＩ）しきい値を含み、前記制御回路が、前記ＷＬＡＮビーコンＲＳＳＩしきい値に基づいて、前記ＵＴＲＡＮから前記ＷＬＡＮにトラフィックをステアリングすることができ、
もし前記ＵＥが前記ＵＴＲＡＮの前記サービングセルによってＣＥＬＬ＿ＤＣＨ状態にあるならば、前記制御回路が、前記ＵＴＲＡＮの前記サービングセルからターゲットセルへのハンドオーバの際に、前記第２のＲＡＮ支援パラメータを使用し続けることができる、装置。
【請求項２】
もし前記ＵＥが前記ＵＴＲＡＮにおけるＣＥＬＬ＿ＦＡＣＨ状態にあるならば、前記制御回路が、セル再選択の際に、前記第２のＲＡＮ支援パラメータを廃棄することができる、請求項１に記載の装置。
【請求項３】
もし前記ＵＥが前記ＵＴＲＡＮにおける前記ＣＥＬＬ＿ＤＣＨ状態にあるならば、前記制御回路が、前記ＵＥのためのＳＲＮＳ再配置の際に、前記第２のＲＡＮ支援パラメータを廃棄するとともに、前記ＵＭＴＳ無線装置と前記ＷＬＡＮ無線装置との間でトラフィックをステアリングするために前記第１のＲＡＮ支援パラメータを適用することができる、請求項２に記載の装置。
【請求項４】
前記制御回路が、更に、
前記ＵＴＲＡＮにおけるアイドルモード、ＣＥＬＬ＿ＰＣＨ状態、又はＵＲＡ＿ＰＣＨ状態に入ると、タイマを起動し、
前記タイマが満了したことを判定するとともに、
前記判定に基づいて、前記第２のＲＡＮ支援パラメータを廃棄し、前記第１のＲＡＮ支援パラメータを使用して、前記ＵＭＴＳ無線装置と前記ＷＬＡＮ無線装置との間でトラフィックをステアリングすることができる、請求項１に記載の装置。
【請求項５】
前記ＷＬＡＮビーコンＲＳＳＩしきい値が、第１のＷＬＡＮビーコンＲＳＳＩしきい値であり、前記第１のＲＡＮ支援パラメータが、前記第１のＷＬＡＮビーコンＲＳＳＩしきい値より小さい値を有する第２のＷＬＡＮビーコンＲＳＳＩしきい値を更に含み、前記制御回路が、前記第２のＷＬＡＮビーコンＲＳＳＩしきい値に基づいて、前記ＷＬＡＮから前記ＵＴＲＡＮにトラフィックをステアリングすることができる、請求項１から請求項４のいずれか一項に記載の装置。
【請求項６】
前記第１のＲＡＮ支援パラメータが、トラフィックステアリングのために前記ＵＥが利用可能であるＷＬＡＮアクセスポイントを識別するための１つ又は複数のＷＬＡＮ識別子を更に含む、請求項１に記載の装置。
【請求項７】
前記第２のＲＡＮ支援パラメータが、前記第２のＲＡＮ支援パラメータに基づいてトラフィックをステアリングするために、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、及びＷＬＡＮアップリンクバックホール速度しきい値を更に含み、前記制御回路が、
前記ＵＴＲＡＮのサービングセルと関連付けられた受信信号符号電力測定値が前記ＵＴＲＡＮ受信信号電力しきい値より小さいか、又は前記ＵＴＲＡＮの前記サービングセルと関連付けられたパイロットチャネル品質測定値が前記ＵＴＲＡＮ受信信号品質しきい値より下であり、そして、
前記ＷＬＡＮのターゲットアクセスポイントと関連付けられたＷＬＡＮチャネル使用率値が前記ＷＬＡＮチャネル使用率しきい値より小さく、前記ターゲットアクセスポイントと関連付けられた利用可能バックホールダウンリンク帯域幅が前記ＷＬＡＮダウンリンクバックホール速度しきい値より大きく、前記ターゲットアクセスポイントと関連付けられた利用可能バックホールアップリンク帯域幅が前記ＷＬＡＮアップリンクバックホール速度しきい値より大きいことを判定するとともに、
前記判定に基づいて、前記ＵＴＲＡＮから前記ＷＬＡＮにトラフィックをステアリングすることができる、請求項１から請求項４のいずれか一項に記載の装置。
【請求項８】
前記ＵＴＲＡＮ受信信号品質しきい値、前記ＵＴＲＡＮ受信信号電力しきい値、前記ＷＬＡＮチャネル使用率しきい値、前記ＷＬＡＮダウンリンクバックホール速度しきい値、及び前記ＷＬＡＮアップリンクバックホール速度しきい値が、前記ＷＬＡＮから前記ＵＴＲＡＮにトラフィックをステアリングするために前記制御回路により使用される対応するしきい値と異なる、請求項７に記載の装置。
【請求項９】
前記第２のＲＡＮ支援パラメータが、前記第２のＲＡＮ支援パラメータに基づいてトラフィックをステアリングするために、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、及びＷＬＡＮアップリンクバックホール速度しきい値を更に含み、前記制御回路が、さらに、
前記ＷＬＡＮのサービングアクセスポイントと関連付けられたＷＬＡＮチャネル使用率値が前記ＷＬＡＮチャネル使用率しきい値より大きく、前記サービングアクセスポイントと関連付けられた利用可能バックホールダウンリンク帯域幅が前記ＷＬＡＮダウンリンクバックホール速度しきい値より小さいか、又は前記サービングアクセスポイントと関連付けられた利用可能バックホールアップリンク帯域幅が前記ＷＬＡＮアップリンクバックホール速度しきい値より小さく、そして、
前記ＵＴＲＡＮのターゲットセルと関連付けられた受信信号符号電力測定値が前記ＵＴＲＡＮ受信信号電力しきい値より大きく、前記ＵＴＲＡＮの前記ターゲットセルと関連付けられたパイロットチャネル品質測定値が前記ＵＴＲＡＮ受信信号品質しきい値より大きいことを判定するとともに、
前記判定に基づいて、前記ＷＬＡＮから前記ＵＴＲＡＮにトラフィックをステアリングすることができる、請求項７に記載の装置。
【請求項１０】
ユニバーサル地上無線アクセスネットワーク（ＵＴＲＡＮ）のネットワーク制御装置により使用される装置であって、当該装置が、
前記ＵＴＲＡＮによってユーザ装置（ＵＥ）と通信するためのトランシーバ回路と、
前記トランシーバ回路に接続された管理回路であって、前記トランシーバ回路によって、前記ＵＴＲＡＮから無線ローカルエリアネットワーク（ＷＬＡＮ）にトラフィックをステアリングするために前記ＵＥが使用する第１のしきい値のセット及び前記ＷＬＡＮから前記ＵＴＲＡＮにトラフィックをステアリングするために前記ＵＥが使用する第２のしきい値のセットを含む無線アクセスネットワーク（ＲＡＮ）パラメータ情報を含んでいる、ブロードキャストシステム情報ブロック、前記ＵＥに対して専用に提供されたＵＴＲＡＮモビリティ情報メッセージ若しくは前記ＵＥに対して専用に提供されたセル更新確認メッセージを送信するための前記管理回路とを備え、前記第２のしきい値のセットが、前記第１のしきい値のセットと異なり、前記第１のしきい値のセットが、上位ＷＬＡＮビーコン受信信号強度インジケータ（ＲＳＳＩ）しきい値を含み、前記第２のしきい値のセットが、下位ＷＬＡＮビーコンＲＳＳＩしきい値を含み、
前記第１のしきい値のセットが、下位ＵＴＲＡＮ受信信号品質しきい値、下位ＵＴＲＡＮ受信信号電力しきい値、下位ＷＬＡＮチャネル使用率しきい値、上位ＷＬＡＮダウンリンクバックホール速度しきい値、及び上位ＷＬＡＮアップリンクバックホール速度しきい値を更に含み、前記第２のしきい値のセットが、上位ＵＴＲＡＮ受信信号品質しきい値、上位ＵＴＲＡＮ受信信号電力しきい値、上位ＷＬＡＮチャネル使用率しきい値、下位ＷＬＡＮダウンリンクバックホール速度しきい値、及び下位ＷＬＡＮアップリンクバックホール速度しきい値を更に含む、装置。
【請求項１１】
前記管理回路が、更に、前記トランシーバ回路によって、前記ＵＥに、トラフィックステアリングのために前記ＵＥが利用可能である１つ又は複数のＷＬＡＮアクセスポイントを識別するための１つ又は複数のＷＬＡＮ識別子を送信することができる、請求項１０に記載の装置。
【請求項１２】
前記ＲＡＮパラメータ情報が、前記セル更新確認メッセージに含まれる、請求項１０又は請求項１１のいずれか一項に記載の装置。
【請求項１３】
前記管理回路が、更に、前記第１のしきい値のセット及び前記第２のしきい値のセットのしきい値のための値を判定することができる、請求項１０に記載の装置。
【請求項１４】
前記ネットワーク制御装置が、前記ＵＴＲＡＮのＮｏｄｅＢ又は無線ネットワーク制御装置（ＲＮＣ）である、請求項１０に記載の装置。
【請求項１５】
命令を有する１つ又は複数のコンピュータプログラムであって、前記命令が実行された場合にユーザ装置（ＵＥ）に、
ユニバーサル地上無線アクセスネットワーク（ＵＴＲＡＮ）受信信号品質しきい値、ＵＴＲＡＮ受信信号電力しきい値、無線ローカルエリアネットワーク（ＷＬＡＮ）チャネル使用率しきい値、ＷＬＡＮダウンリンクバックホール速度しきい値、ＷＬＡＮアップリンクバックホール速度しきい値、及びＷＬＡＮビーコンＲＳＳＩしきい値を含む無線アクセスネットワーク（ＲＡＮ）パラメータ情報を、前記ＵＥに対して指定されたセル更新確認メッセージから取得させ、
前記ＵＴＲＡＮのサービングセルと関連付けられた受信信号符号電力測定値が前記ＵＴＲＡＮ受信信号電力しきい値より小さいか、又は前記ＵＴＲＡＮの前記サービングセルと関連付けられたパイロットチャネル品質測定値が前記ＵＴＲＡＮ受信信号品質しきい値より下であり、そして、
前記ＷＬＡＮのターゲットアクセスポイントと関連付けられたＷＬＡＮチャネル使用率値が前記ＷＬＡＮチャネル使用率しきい値より小さく、前記ターゲットアクセスポイントと関連付けられた利用可能バックホールダウンリンク帯域幅が前記ＷＬＡＮダウンリンクバックホール速度しきい値より大きく、前記ターゲットアクセスポイントと関連付けられた利用可能バックホールアップリンク帯域幅が前記ＷＬＡＮアップリンクバックホール速度しきい値より大きく、前記ターゲットアクセスポイントと関連付けられたビーコンＲＳＳＩが前記ＷＬＡＮビーコンＲＳＳＩしきい値より大きいことを判定させるとともに、
前記判定に基づいて、前記ＵＴＲＡＮから前記ＷＬＡＮにトラフィックをステアリングさせる、１つ又は複数のコンピュータプログラム。
【請求項１６】
前記ＵＴＲＡＮ受信信号品質しきい値、前記ＵＴＲＡＮ受信信号電力しきい値、前記ＷＬＡＮチャネル使用率しきい値、前記ＷＬＡＮダウンリンクバックホール速度しきい値、及び前記ＷＬＡＮアップリンクバックホール速度しきい値が、前記ＷＬＡＮから前記ＵＴＲＡＮにトラフィックをステアリングするために前記ＵＥにより使用される対応するしきい値と異なる、請求項１５に記載の１つ又は複数のコンピュータプログラム。
【請求項１７】
前記ＲＡＮパラメータ情報が、第１のＲＡＮパラメータ情報であり、前記命令が、実行された場合に、前記ＵＥに、更に、
ブロードキャストシステム情報ブロックメッセージから第２のＲＡＮパラメータ情報を取得させるとともに、
前記第２のＲＡＮパラメータ情報の代わりに前記第１のＲＡＮパラメータ情報を使用して、ＵＭＴＳ無線装置とＷＬＡＮ無線装置との間でトラフィックをステアリングさせる、請求項１５又は請求項１６に記載の１つ又は複数のコンピュータプログラム。
【請求項１８】
前記命令が、実行された場合に、前記ＵＥに、更に、
前記ＵＥが前記ＵＴＲＡＮにおけるＣＥＬＬ＿ＦＡＣＨ状態にあることを判定させ、
サービングセルを変更するために前記ＵＴＲＡＮにおけるセル再選択を実行させるとともに、
前記ＵＥが前記ＣＥＬＬ＿ＦＡＣＨ状態にあるという前記判定に基づいて、前記セル再選択の際に、前記第１のＲＡＮパラメータ情報を廃棄させる、請求項１７に記載のコンピュータプログラム。
【請求項１９】
前記命令が、実行された場合に、前記ＵＥに、更に、
前記ＵＥが前記ＵＴＲＡＮにおけるＣＥＬＬ＿ＤＣＨ状態にあることを判定させ、
前記ＵＴＲＡＮのサービングセルからターゲットセルへのハンドオーバを実行させるとともに、
前記ハンドオーバのあとで、前記第１のＲＡＮパラメータ情報を使用し続けさせる、請求項１７に記載の１つ又は複数のコンピュータプログラム。
【請求項２０】
請求項１５から請求項１９のいずれか一項に記載の１つ又は複数のコンピュータプログラムを記憶したコンピュータ読み取り可能な記憶媒体。
【発明の詳細な説明】
【技術分野】
【０００１】
本開示の実施例は、一般に、無線通信の分野に関し、より詳細には、ユニバーサル移動体通信システム（ＵＭＴＳ）及び無線ローカルエリアインタワーキングのためのシステム、装置及び方法に関する。
【０００２】
本出願は、“Stage-2  and  Stage-3  Details  of  UMTS/WLAN  Radio  Interworking”と表題を付けられ２０１４年５月８日に出願された米国仮特許出願第６１／９９０，６９３号、及び“Amendment  to  WLAN/3GPP  Interworking  RAN  Rules”と表題を付けられ２０１４年７月２８日に出願された米国仮特許出願第６２／０２９，９３６号の利益を主張する“SYSTEMS，DEVICES，AND  METHODS  FOR  INTERWORKING  BETWEEN  A  UNIVERSAL  MOBILE  TELECOMMUNICATIONS  SYSTEM  (UMTS)  NETWORK  AND  A  WIRELESS  LOCAL  AREA  NETWORK  (WLAN)”と表題を付けられ２０１４年１２月２４日に出願された米国特許出願第１４／５８３，０５７号の利益を主張する。上記に記載された出願の全体は、この結果、参照によりここに組み込まれる。
【背景技術】
【０００３】
セルラネットワークは、ユーザ装置（ＵＥ）に、ネットワークトラフィックを無線ローカルエリアネットワーク（ＷＬＡＮ）に転送するように指示し得る。ネットワークトラフィックをＷＬＡＮに転送することは、セルラネットワークからトラフィックをオフロードし、それにより、他のＵＥのためにセルラネットワーク上のリソースを解放する。
【０００４】
実施例は、添付の図面と併せて下記の詳細な説明により容易に理解されることになる。この説明を容易にするために、同様の参照番号は、同様の構造要素を指定する。実施例は、添付の図面の図において、限定の目的ではなく、一例として例示される。
【図面の簡単な説明】
【０００５】
【図１】様々な実施例による無線通信環境を概略的に例示する。
【図２】様々な実施例による、ユニバーサル地上無線アクセスネットワーク（ＵＴＲＡＮ）から無線ローカルエリアネットワーク（ＷＬＡＮ）にトラフィックをステアリングするためにユーザ装置により実行されるトラフィックステアリング方法のフローチャートである。
【図３】様々な実施例による、ＷＬＡＮからＵＴＲＡＮにトラフィックをステアリングするためにユーザ装置により実行されるトラフィックステアリング方法のフローチャートである。
【図４】様々な実施例による、ネットワークノードにより実行されるトラフィックステアリングを管理するための方法のフローチャートである
【図５】ここで説明された様々な実施例を実践するために使用され得る実例のコンピューティング装置の構成図である。
【発明を実施するための形態】
【０００６】
下記の詳細な説明では、全体を通して同様の番号が同様の部品を指定するとともに、実践され得る例示的な実施例により示されている、本明細書の一部分を形成する添付図面に対して参照が行われる。本開示の範囲から逸脱することなく、他の実施例が利用され得るとともに、構造的又は論理的な変更が実行され得る、ということが理解されるべきである。
【０００７】
同様に、様々な動作は、特許請求の範囲の主題を理解する上で最も有効である方法で、複数の別々の行動又は動作として説明され得る。しかしながら、説明の順序は、これらの動作が必ずしも順序に依存していることを意味すると解釈されるべきではない。特に、これらの動作は、提示の順序で実行されなくてもよい。説明された動作は、説明された実施例とは異なる順序で実行されてもよい。様々な追加の動作が実行され得るか、又は、説明された動作はさらなる実施例では省略されてもよい。
【０００８】
本開示の目的のために、“又は”という用語が、用語によって結合された成分のうちの少なくとも１つを意味する包括的な用語として使用される。例えば、“Ａ又はＢ”という言いまわしは、（Ａ）、（Ｂ）、又は（Ａ及びＢ）を意味し、“Ａ、Ｂ、又はＣ”という言いまわしは、（Ａ）、（Ｂ）、（Ｃ）、（Ａ及びＢ）、（Ａ及びＣ）、（Ｂ及びＣ）、又は（Ａ、Ｂ、及びＣ）を意味する。
【０００９】
説明は、“一実施例において”又は“実施例において”という言いまわしを使用することができ、それは、それぞれ同一又は異なる実施例のうちの１つ又は複数を指すことができる。さらに、本開示の実施例に関連して使用されるように、“備える（comprising）”、“含む（including）”、“有する（having）”などという用語は同義である。
【００１０】
ここで使用されるように、“回路”という用語は、特定用途向け集積回路（ＡＳＩＣ）、電子回路、１つ若しくは複数のソフトウェア又はファームウェアプログラムを実行するプロセッサ（共有、専用、若しくはグループ）又はメモリ（共有、専用、若しくはグループ）、組み合わせ論理回路、あるいは、説明された機能を提供する他の適切なハードウェアコンポーネントのことを指し得るか、これらの一部であり得るか、又はこれらを含み得る。
【００１１】
図１は、様々な実施形態による無線通信環境１００を概略的に例示する。環境１００は、セルラネットワーク及び無線ローカルエリアネットワーク（ＷＬＡＮ）を含む少なくとも２つの無線通信ネットワークを介して通信することが可能であるユーザ装置（ＵＥ）１０４を含み得る。セルラネットワークは、例えば、第３世代パートナーシッププロジェクト（３ＧＰＰ）ユニバーサル移動体通信システム（ＵＭＴＳ）プロトコルに従うユニバーサル地上無線アクセスネットワーク（ＵＴＲＡＮ）であり得る。ＵＥ１０４は、ＵＭＴＳ無線装置１１２及びＷＬＡＮ無線装置１２０に接続された制御回路１０８を含み得る。ＵＥ１０４は、ＵＴＲＡＮの１つ又は複数のノード、例えばＮｏｄｅＢ１１６と無線で通信するためにＵＭＴＳ無線装置１１２を使用し得る。ＵＥ１０４は、ＷＬＡＮの１つ又は複数のノード、例えばアクセスポイント（ＡＰ）１２４と無線で通信するためにＷＬＡＮ無線装置１２０を使用し得る。
【００１２】
ＡＰ１２４は、制御回路１３２に接続された無線トランシーバ１２８を含み得る。制御回路１３２は、ＡＰ１２４の動作及び通信を制御し得る。いくつかの実施例において、制御回路１３２は、無線トランシーバ１２８、及び有線又は無線とすることができる１つ若しくは複数の追加のトランシーバを介した通信を制御し得る。
【００１３】
ＮｏｄｅＢ１１６は、同様に、無線トランシーバ１３６、及び制御回路１４０を含み得る。制御回路１４０は、ＮｏｄｅＢ１１６の動作及び通信を制御し得る。ＮｏｄｅＢ１１６は、ＵＴＲＡＮの一部であり得るとともに、ＵＴＲＡＮの１つ又は複数のノード、例えばネットワーク制御装置１４８と通信するためのトランシーバ１４４を含み得る。ｅＮＢ１１６は、有線又は無線とすることができる１つ若しくは複数の追加のトランシーバを含み得る。
【００１４】
ネットワーク制御装置１４８は、ＮｏｄｅＢ１１６のトランシーバ１４４と通信するためのトランシーバ１５２を含み得る。ネットワーク制御装置１４８は、トランシーバ１５２と接続される管理回路１５６を更に含み得る。いくつかの実施例において、ネットワーク制御装置１４８は、ＵＴＲＡＮの複数のＮｏｄｅＢ１１６を管理し得る。その代りに、又は、さらに、ネットワーク制御装置１４８のうちのいくつか又は全て（例えば、管理回路１５６のうちのいくつか又は全て）は、ＮｏｄｅＢ１１６に含まれ得る。
【００１５】
ネットワーク制御装置１４８は、ＮｏｄｅＢ１１６、別のＵＴＲＡＮ、又はＮｏｄｅＢ１１６のＵＴＲＡＮと連結される進化型パケットコア（ＥＰＣ）と共に、ＵＴＲＡＮの一部であり得る。ＥＰＣは、ＵＥが、３ＧＰＰアクセスネットワークに加えて、データ通信のために使用することができる非３ＧＰＰアクセスネットワークを発見するのを支援するために、アクセスネットワーク発見選択機能（ＡＮＤＳＦ）を含み得るとともに、これらのネットワークに対する接続を規制するルールをＵＥに提供し得る。ＥＰＣは、同様に、様々な無線アクセスネットワーク（ＲＡＮ）と他のネットワークと間の通信インタフェースを提供し得る。例えば、ＥＰＣは、ここで説明されたＵＴＲＡＮとＷＬＡＮとの間の通信インタフェースを提供し得る。
【００１６】
様々な実施例は、ＵＴＲＡＮと１つ又は複数のＷＬＡＮとの間の、ＲＡＮにより支援されたＵＥベースの双方向性のトラフィックステアリングを提供する。様々な実施例において、ネットワーク制御装置１４８の管理回路１５６は、ＵＴＲＡＮとＷＬＡＮとの間のトラフィックステアリングのためのＵＥ１０４による使用のために、（例えばＮｏｄｅＢ１１６によって）ＲＡＮパラメータ情報をＵＥ１０４に送信し得る。ＲＡＮパラメータ情報は、１つ又は複数のＲＡＮ支援パラメータを含み得る。ＲＡＮ支援パラメータは、ＵＴＲＡＮとＷＬＡＮとの間のトラフィックステアリングのためのＵＥ１０４による使用のために、１つ又は複数のしきい値を含み得る。いくつかの実施例において、ＲＡＮ支援パラメータは、１つ若しくは複数のＷＬＡＮ識別子及び／又はオフロード選択指示子（offload  preference  indicator：ＯＰＩ）を更に含み得る。ＷＬＡＮ識別子は、トラフィックステアリングのためにＵＥ１０４が利用可能であるＡＰ及び／又はＷＬＡＮを識別し得る。
【００１７】
ＯＰＩは、ＵＥ１０４に対する１つ又は複数のＡＮＤＳＦポリシーのために使用され得る。例えば、ＡＮＤＳＦサーバは、ＡＮＤＳＦポリシーの複数のセットをＵＥ１０４に提供し得る。ネットワークは、ＵＥ１０４がどのＡＮＤＳＦポリシーを現在使用するべきであるかをＵＥ１０４に指示するためにＯＰＩを使用し得る。
【００１８】
ＲＡＮ支援パラメータは、ブロードキャストシグナリング（それは複数のＵＥを対象にする）及び／又は専用シグナリング（それはＵＥ１０４に指定される）によってＵＥ１０４に送信され得る。例えば、ＲＡＮ支援パラメータは、ブロードキャストシグナリングによって送信されるシステム情報ブロック（ＳＩＢ）に含まれ得る。さらに、又はその代わりに、ＲＡＮ支援パラメータは、ＵＥ１０４に対して専用に提供された、ＵＴＲＡＮモビリティ情報メッセージ又はセル更新確認メッセージに含まれ得る。
【００１９】
様々な実施例において、ＵＥ１０４の制御回路１０８は、ＲＡＮ支援パラメータを受信し得る。制御回路１０８は、しきい値に基づいて、ＵＭＴＳ無線装置とＷＬＡＮ無線装置との間でトラフィックをステアリングし得る。制御回路１０８は、下記で更に論じられるように、しきい値を使用する１つ又は複数のトラフィックステアリングルールに基づいて、ＵＭＴＳ無線装置とＷＬＡＮ無線装置との間でトラフィックをステアリングし得る。いくつかの実施例において、ＲＡＮ支援パラメータは、トラフィックステアリングルールの評価において使用されるタイマ値を更に含み得る。例えば、タイマ値は、ＵＴＲＡＮとＷＬＡＮとの間のトラフィックステアリングを開始する前にトラフィックステアリングルールが満たされなければならない時間の長さを示し得る。
【００２０】
いくつかの実施例において、ＵＥ１０４は、アイドルモード、ＣＥＬＬ＿ＤＣＨ状態、ＣＥＬＬ＿ＦＡＣＨ状態、ＣＥＬＬ＿ＰＣＨ状態、又はＵＲＡ＿ＰＣＨ状態のような、ＮｏｄｅＢ１１６との１つ又は複数の無線リソース制御（ＲＲＣ）状態において、ＵＭＴＳとＷＬＡＮとの間でトラフィックをステアリングし得る。
【００２１】
いくつかの実施例において、もしＵＥ１０４がＡＮＤＳＦポリシーを提供されるならば、ＵＥ１０４は、現在のＲＡＮ支援パラメータをＵＥの上位レイヤに転送し得る。いくつかの実施例において、もしＵＥ１０４がアイドルモードにあり、そしてＵＥ１０４が有効性のタイマがまだ動いている間にブロードキャストＲＡＮ支援パラメータを受信するならば、ＵＥは受信されたパラメータを転送しないかもしれず、むしろ専用シグナリングによって以前に受信された記憶されたパラメータを（もしあるならば）転送し得る。もしＵＥ１０４がＡＮＤＳＦポリシーを提供されないならば、ＵＥ１０４は、下記で更に論じられるトラフィックステアリングルールに従って、トラフィックステアリングのためにＲＡＮ支援パラメータを使用し得る。
【００２２】
いくつかの実施例において、ＵＥ１０４は、ブロードキャストシグナリングによって、及び専用シグナリングによって、ＲＡＮ支援パラメータを受信し得る。そのような状況において、ＵＥ１０４は、専用シグナリングによって受信されたＲＡＮ支援パラメータを使用するかもしれず、そしてブロードキャストシグナリングによって受信されたＲＡＮ支援パラメータを使用しないかもしれない。ＲＡＮ支援パラメータに関してのＵＥ１０４のいくつかの行動は、ＵＥ１０４のＲＲＣ状態によって変わり得る。
【００２３】
例えば、いくつかの実施例において、もしＵＥ１０４がＣＥＬＬ＿ＤＣＨ状態にあるならば、ＵＥ１０４は、専用シグナリングのみによって取得されたパラメータを使用するかもしれず、そしてブロードキャストシグナリングによって取得されたパラメータを使用しないかもしれない。ＵＴＲＡＮのサービングセルからターゲットセルへのハンドオーバ（例えば、ＵＴＲＡＮのＮｏｄｅＢ１１６から別のＮｏｄｅＢへのハンドオーバ）の際に、もしＲＡＮ支援パラメータがハンドオーバの間にＵＴＲＡＮにより再構成されないか、又は削除されるならば、ＵＥ１０４は、専用シグナリングによって取得されたＲＡＮ支援パラメータを保持し得る。ＵＥ１０４は、ＵＥ１０４がＣＥＬＬ＿ＤＣＨ状態に入る場合に、ブロードキャストシグナリングによって取得されたＲＡＮ支援パラメータを廃棄し得る。さらに、又はその代わりに、ＵＥ１０４は、無線ネットワークサブシステム（ＳＲＮＳ）再配置の際に、専用シグナリングによって取得されたＲＡＮ支援パラメータを廃棄し得る。
【００２４】
いくつかの実施例において、もしＵＥ１０４がＣＥＬＬ＿ＦＡＣＨ状態にあるならば、ＵＥ１０４は、もしＵＥ１０４がサービングセルから専用シグナリングによってＲＡＮ支援パラメータを受信したならば、ブロードキャストシグナリングによって取得されたＲＡＮ支援パラメータの代わりに、専用シグナリングによって取得されたＲＡＮ支援パラメータをトラフィックステアリングに適用し得る。もしＵＥ１０４がサービングセルから専用シグナリングによってＲＡＮ支援パラメータを受信しなかったならば、ＵＥ１０４は、ブロードキャストシグナリングによって取得されたＲＡＮ支援パラメータをトラフィックステアリングに適用し得る。ＣＥＬＬ＿ＦＡＣＨ状態におけるＵＥ１０４は、セル再選択の際に、（例えば、新しいセルをサービングセルとして選択するために）専用パラメータを廃棄し得る。その結果、ＵＥ１０４は、ＵＥ１０４が新しいサービングセルからＲＡＮ支援パラメータを受信するまで、又は、ＵＥ１０４が新しいサービングセルからＲＡＮ支援パラメータを受信しない限り、ブロードキャストシグナリングによって取得されたＲＡＮ支援パラメータを使用し得る。
【００２５】
いくつかの実施例において、もしＵＥ１０４が、アイドルモード、ＣＥＬＬ＿ＰＣＨ状態、又はＵＲＡ＿ＰＣＨ状態にあるならば、ＵＥ１０４は、専用シグナリングによって取得されたＲＡＮ支援パラメータを適用し得る。もしＵＥ１０４が専用シグナリングによってＲＡＮ支援パラメータを受信しなかったならば、ＵＥ１０４は、ブロードキャストシグナリングによって取得されたＲＡＮ支援パラメータを適用し得る。セル再選択の際に、ＵＥ１０４は、専用シグナリングによって取得されたＲＡＮ支援パラメータを廃棄し得るとともに、新しいＲＡＮ支援パラメータが専用シグナリングによって取得されるまで、ブロードキャストシグナリングによって取得されたＲＡＮ支援パラメータを使用し得る。
【００２６】
ＵＥ１０４がアイドルモードに入る場合に、ＵＥ１０４は、タイマを起動し得る。ＵＥ１０４は、タイマが満了するまで、専用シグナリングによって受信されたＲＡＮ支援パラメータを使用し得る。タイマが満了した場合に、ＵＥ１０４は、専用シグナリングによって受信されたＲＡＮ支援パラメータを廃棄し得るとともに、ブロードキャストシグナリングによって取得されたＲＡＮ支援パラメータを適用し得る。いくつかの実施例において、ＵＥ１０４は、さらに、又はその代わりに、ＣＥＬＬ＿ＰＣＨ状態又はＵＲＡ＿ＰＣＨ状態のような他のＲＲＣ状態においてタイマを使用し得る。
【００２７】
いくつかの実施例において、ＵＴＲＡＮは、複数の地上波公共移動通信ネットワーク（ＰＬＭＮ）により共有され得る。いくつかのそのような実施例において、ＵＴＲＡＮを共有する個々のＰＬＭＮは、ＲＡＮ支援パラメータの独立したセットを送信し得る。
【００２８】
様々な実施例において、ＲＡＮ支援パラメータは、ＵＴＲＡＮからＷＬＡＮにトラフィックをステアリングするためにＵＥ１０４により使用されることができる第１のしきい値のセット、及びＷＬＡＮからＵＴＲＡＮにトラフィックをステアリングするためにＵＥ１０４により使用されることができる第２のしきい値のセットを含み得る。第１及び第２のしきい値のセットのしきい値は、ＵＴＲＡＮ信号強度しきい値、ＵＴＲＡＮ信号品質しきい値、ＷＬＡＮ使用率しきい値、ＷＬＡＮバックホールデータ速度しきい値（アップリンク及び／若しくはダウンリンク）、並びに／又はＷＬＡＮビーコン受信信号強度インジケータ（ＲＳＳＩ）しきい値のうちの１つ又は複数を含み得る。上記で論じられたように、ＲＡＮ支援パラメータは、１つ若しくは複数のＷＬＡＮ識別子（アクセスネットワーク選択及びトラフィックステアリングルールにおいて使用される）、ＯＰＩ（ＡＮＤＳＦポリシーにおいて使用される）、及び／又はタイマ値（トラフィックステアリングルールにおいて使用される）を更に含み得る。ＵＥ１０４は、ここで説明されたトラフィックステアリングルールの評価においてＲＡＮ支援パラメータを使用して、ＥＵＴＲＡＮとＷＬＡＮとの間のトラフィックステアリング判定を実行し得る。
【００２９】
例えば、ＵＴＲＡＮからＷＬＡＮへのトラフィックステアリングのための第１のしきい値のセットは、下位ＵＴＲＡＮ受信信号品質しきい値（ThreshServingOffloadWLAN，LowQ）、下位ＵＴＲＡＮ受信信号電力しきい値（ThreshServingOffloadWLAN，LowP）、下位ＷＬＡＮチャネル使用率しきい値（ThreshChUtilWLAN，Low）、上位ＷＬＡＮダウンリンクバックホール速度しきい値（ThreshBackhRateDlWLAN，High）、上位ＷＬＡＮアップリンクバックホール速度しきい値（ThreshBackhRateUlWLAN，High）、及び／又は上位ビーコン受信信号強度インジケータ（ＲＳＳＩ）しきい値（ThreshRSSIWLAN，High）を含み得る。ＷＬＡＮからＵＴＲＡＮへのトラフィックステアリングのための第２のしきい値のセットは、上位ＵＴＲＡＮ受信信号品質しきい値（ThreshServingOffloadWLAN，HighQ）、上位ＵＴＲＡＮ受信信号電力しきい値（ThreshServingOffloadWLAN，HighP）、上位ＷＬＡＮチャネル使用率しきい値（ThreshChUtilWLAN，High）、下位ＷＬＡＮダウンリンクバックホール速度しきい値（ThreshBackhRateDlWLAN，Low）、下位ＷＬＡＮアップリンクバックホール速度しきい値（ThreshBackhRateUlWLAN，Low）、及び／又は下位ビーコンＲＳＳＩしきい値（ThreshRSSIWLAN，Low）を含み得る。しきい値の一方のセットうちの“上位の”しきい値は、一般に、しきい値のもう一方のセットのうちの対応する“下位のしきい値”より大きい値を有し得る。その結果、しきい値の２つのセットのうちの対応するしきい値は、ＵＴＲＡＮとＷＬＡＮとの間の頻繁な切り替え（例えば、ピンポン現象）を回避する／減少させるために、異なる値を有し得る。
【００３０】
いくつかの実施例において、しきい値ThreshServingOffloadWLAN，LowPは、ＷＬＡＮへのトラフィックステアリングのためのＵＥ１０４による使用のために、ＵＴＲＡＮの周波数分割複信（ＦＤＤ）セルに対する共通パイロットチャネル（ＣＰＩＣＨ）受信信号符号電力（ＲＳＣＰ）しきい値（ｄＢｍで測定された）、及び／又はＵＴＲＡＮの時間分割複信（ＴＤＤ）セルに対するプライマリ共通制御物理チャネル（Ｐ−ＣＣＰＣＨ）ＲＳＣＰを指定し得る。しきい値ThreshServingOffloadWLAN，HighPは、ＵＴＲＡＮへのトラフィックステアリングのためのＵＥ１０４による使用のために、ＦＤＤセルに対するＣＰＩＣＨ  ＲＳＣＰ、及び／又はＴＤＤセルに対するＰ−ＣＣＰＣＨ  ＲＳＣＰを指定し得る。しきい値ThreshServingOffloadWLAN，LowQは、ＷＬＡＮへのトラフィックステアリングのためのＵＥ１０４による使用のために、ＦＤＤセルに対するＣＰＩＣＨ  Ｅｃ／Ｎ０（トータルの受信電力スペクトル密度分のチップ当たりの品質エネルギー）を指定し得る。しきい値ThreshServingOffloadWLAN，HighQは、ＵＴＲＡＮへのトラフィックステアリングのためのＵＥ１０４による使用のために、ＦＤＤセルに対するＣＰＩＣＨ  Ｅｃ／Ｎ０を指定し得る。
【００３１】
いくつかの実施例において、ThreshChUtilWLAN，Lowは、ＷＬＡＮへのトラフィックステアリングのためにＵＥ１０４により使用されるＷＬＡＮチャネル使用率（ＢＳＳ負荷）しきい値であり得るとともに、ThreshChUtilWLAN，Highは、ＵＴＲＡＮへのトラフィックステアリングのためにＵＥ１０４により使用されるＷＬＡＮチャネル使用率（ＢＳＳ負荷）しきい値であり得る。指示されたＷＬＡＮ識別子に対するＷＬＡＮチャネル使用率は、指示されたＷＬＡＮ識別子のためのＩＥＥＥ８０２．１１（ビーコン又はプローブ応答）シグナリングから取得される基本サービスセット（ＢＳＳ）負荷情報要素（ＩＥ）からのＷＬＡＮチャネル使用率値に対応し得る。
【００３２】
いくつかの実施例において、ThreshBackhRateDlWLAN，Highは、ＷＬＡＮへのトラフィックステアリングのためにＵＥ１０４により使用されるバックホール利用可能ダウンリンク帯域幅のしきい値に対応するとともに、ThreshBackhRateDlWLAN，Lowは、ＵＴＲＡＮへのトラフィックステアリングのためにＵＥ１０４により使用されるバックホール利用可能ダウンリンク帯域幅のしきい値であり得る。ＷＬＡＮのためのバックホール利用可能ダウンリンク帯域幅は、ダウンリンク速度＊（１−ダウンリンク負荷／２５５）として計算されることができ、ここで、ダウンリンク速度とダウンリンク負荷パラメータは、（ＩＥＥＥ８０２．１１ｕ及びＷＦＡ拡張機能に基づいて）Ｗｉ−Ｆｉアライアンス（ＷＦＡ）ホットスポット（ＨＳ）２．０からアクセスネットワーククエリプロトコル（ＡＮＱＰ）シグナリングによって取得される広域ネットワーク（ＷＡＮ）メトリック要素から取り出され得る。
【００３３】
いくつかの実施例において、ThreshBackhRateUlWLAN，Highは、ＷＬＡＮへのトラフィックステアリングのためにＵＥ１０４により使用されるバックホール利用可能アップリンク帯域幅のしきい値であり得るとともに、ThreshBackhRateUlWLAN，Lowは、ＵＴＲＡＮへのトラフィックステアリングのためにＵＥ１０４により使用されるバックホール利用可能アップリンク帯域幅のしきい値であり得る。バックホール利用可能アップリンク帯域幅は、アップリンク速度＊（１−アップリンク負荷／２５５）として計算されることができ、ここで、アップリンク速度とアップリンク負荷パラメータは、ＷＦＡ  ＨＳ２．０からＡＮＱＰシグナリングによって取得されるＷＡＮメトリック要素から取り出され得る。
【００３４】
いくつかの実施例において、ThreshRSSIWLAN，Highは、ＷＬＡＮへのトラフィックステアリングのためにＵＥ１０４により使用されるビーコンＲＳＳＩしきい値に対応するとともに、ThreshRSSIWLAN，Lowは、ＵＴＲＡＮへのトラフィックステアリングのためにＵＥ１０４により使用されるビーコンＲＳＳＩしきい値であり得る。ＷＬＡＮのためのビーコンＲＳＳＩは、ＷＬＡＮビーコンに関してＵＥ１０４により測定されたＲＳＳＩであり得る。
【００３５】
いくつかの実施例において、ＷＬＡＮ識別子は、ターゲットＷＬＡＮ、例えばトラフィックがステアリングされ得るとともにＡＰ１２４と関連付けられたＷＬＡＮを識別し得る。ＷＬＡＮ識別子は、サービスセット識別子（ＳＳＩＤ）、基本サービスセット識別子（ＢＳＳＩＤ）、及び／又は均一の拡張サービスセット識別子（homogeneous  extended  service  set  identifiers：ＨＨＩＤ）を含み得る。トラフィックステアリングルールは、ターゲットＷＬＡＮに適用でき得る。いくつかの実施例において、もしＵＥ１０４がＵＴＲＡＮとＷＬＡＮとの間のトラフィックステアリングが可能であるとともに、上記で説明されたように、ＵＥ１０４が有効なＡＮＤＳＦポリシーを提供されないならば、これらのトラフィックステアリングルールが単に適用され得る。
【００３６】
トラフィックステアリングルールの第１のセットは、トラフィックがＵＴＲＡＮからＷＬＡＮにステアリングされ得る状況を説明し得る。これらの状況は、ＲＡＮ支援パラメータにおいて提供された様々なしきい値と比較した、測定された又はそうでなければ取得されたＵＴＲＡＮ及びＷＬＡＮにおける動作状態に基づき得る。いくつかの実施例において、もし（例えば、タイマ値TsteeringWLANにより指示された時間間隔において）トラフィックステアリングルールの第１のセットが満たされるならば、その場合に、制御回路１０８におけるアクセス層は、制御回路１０８の上位レイヤ、例えば非アクセス層に対して、いつ、及び、（ＲＡＮアクセスパラメータにおいて提供されるＷＬＡＮ識別子のリストの中の）どのＷＬＡＮ識別子に関して、トラフィックステアリングルールの第１のセットが満たされたかを指示し得る。
【００３７】
制御回路１０８（例えば、制御回路１０８の上位レイヤ）は、条件が満たされているという指示に基づいて、ＵＴＲＡＮからＷＬＡＮにトラフィックをステアリングし得る。いくつかの実施例において、上位レイヤは、もしアクセス層により提供された指示がユーザの好みに反するならば、又はもしＵＥ１０４が有効なＡＮＤＳＦポリシーを提供されているならば、アクセス層により提供された指示を無視し得る。
【００３８】
ＷＬＡＮにトラフィックをステアリングするためのトラフィックステアリングルールの第１のセットは、ＵＴＲＡＮサービングセル条件及びターゲットＷＬＡＮ条件を含み得る。ＥＵＴＲＡＮサービングセル条件は、Qrxlevmeas＜ThreshServingOffloadWLAN，LowP、又はQqualmeas＜ThreshServingOffloadWLAN，LowQを含み得る。値Qrxlevmeasは、ＵＴＲＡＮセルの受信信号電力（例えば、ＦＤＤセルに対するＣＰＩＣＨ  ＲＳＣＰ又はＴＤＤセルに対するＰ−ＣＣＰＣＨ  ＲＳＣＰ）であり得る。値Qqualmeasは、ＵＴＲＡＮセルにおける（ｄＢで）測定された基準信号受信品質（ＲＳＲＱ）（例えば、ＦＤＤセルに対するＣＰＩＣＨ  Ｅｃ／Ｎ０）であり得る。したがって、制御回路１０８は、もしＵＴＲＡＮセルの測定された受信信号電力値が対応する受信信号電力しきい値より小さいか、又はＵＴＲＡＮの測定された受信信号品質値が対応する受信信号品質しきい値より小さいならば、トラフィックステアリングルールの第１のセットのＵＴＲＡＮサービングセル条件が満たされる、ということを判定し得る。いくつかの実施例において、受信信号電力値、及び／又は受信信号品質値は、ＵＥ１０４により測定され得る。
【００３９】
ターゲットＷＬＡＮ条件は、ChannelUtilizationWLAN＜ThreshChUtilWLAN，Low、BackhaulRateDlWLAN＞ThreshBackhRateDlWLAN，High、BackhaulRateUlWLAN＞ThreshBackhRateUlWLAN，High、及びBeaconRSSI＞ThreshRSSIWLAN，Highを含むことができ、ここで、ChannelUtilizationWLANは、指示されたＷＬＡＮ識別子のためのＩＥＥＥ８０２．１１（ビーコン又はプローブ応答）シグナリングから取得されるＢＳＳ  ＩＥからのＷＬＡＮチャネル使用率値であり得る。BackhaulRateDlWLANは、ダウンリンク速度＊（１−ダウンリンク負荷／２５５）として計算され得るバックホール利用可能ダウンリンク帯域幅であることができ、ここで、ダウンリンク速度とダウンリンク負荷パラメータは、（ＩＥＥＥ８０２．１１ｕ及びＷＦＡ拡張機能に基づいて）ＷＦＡ  ＨＳ２．０からＡＮＱＰシグナリングによって取得されるＷＡＮメトリック要素から取り出されることができ、BackhaulRateUlWLANは、アップリンク速度＊（１−アップリンク負荷／２５５）として計算され得るバックホール利用可能アップリンク帯域幅であることができ、ここで、アップリンク速度とアップリンク負荷パラメータは、ＷＦＡ  ＨＳ２．０からＡＮＱＰシグナリングによって取得されるＷＡＮメトリック要素から取り出されることができ、そしてBeaconRSSIは、ＷＬＡＮビーコンに関してＵＥ１０４により測定されたＲＳＳＩであり得る。したがって、制御回路１０８は、もしＷＬＡＮチャネル使用率が対応するＷＬＡＮチャネル使用率しきい値より小さく、ＷＬＡＮダウンリンクバックホール速度が対応するＷＬＡＮダウンリンクバックホール速度しきい値より大きく、ＷＬＡＮアップリンクバックホール速度が対応するＷＬＡＮアップリンクバックホール速度しきい値より大きく、ビーコンＲＳＳＩが対応するＷＬＡＮビーコンＲＳＳＩしきい値より大きいならば、ＷＬＡＮ条件が満たされる、ということを判定し得る。
【００４０】
いくつかの実施例において、ＵＥ１０４は、ここで論じられたしきい値のサブセットのみ受信し得る。そのような実施例において、ＵＥ１０４の制御回路１０８は、対応するしきい値が提供されなかった測定値の評価を除外し得る。その結果、ネットワーク制御装置１４８は、どのしきい値をＲＡＮ支援パラメータに入れるかを選択することにより、トラフィックステアリングのために使用されることができる条件を選択し得る。
【００４１】
１つより多いターゲットＷＬＡＮが上記の条件を満たす実施例において、利用可能なターゲットＷＬＡＮのうちの１つを選択することは、ＵＥ１０４次第であり得る。いくつかの実施例において、ターゲットＷＬＡＮのそれぞれは、それによりＵＥ１０４が関連するＷＬＡＮを選択する関連する優先順位を有し得る。関連する優先順位は、ＲＡＮ支援パラメータにおいてＷＬＡＮ識別子とともに送信され得る。他の実施例において、ターゲットＷＬＡＮは、関連する優先順位を有していない可能性があり、ＵＥ１０４は、１つ若しくは複数の他の考慮事項に基づいて、又はランダムに、ターゲットＷＬＡＮのうちの１つを選択し得る。
【００４２】
トラフィックステアリングルールの第２のセットは、トラフィックがＷＬＡＮからＵＴＲＡＮセルへステアリングされ得る状況を説明し得る。上記の議論と同様に、これらの状況は、ＲＡＮ支援パラメータにおいて提供された様々なしきい値と比較した、ＷＬＡＮ及びＵＴＲＡＮセルにおける動作状態に基づき得る。いくつかの実施例において、もし予め定義された条件が満たされるならば、その場合に、制御回路１０８におけるアクセス層は、制御回路１０８の上位レイヤ、例えば非アクセス層に対して、いつＷＬＡＮからＥＵＴＲＡＮセルにトラフィックをステアリングするための特定の条件が所定の時間間隔TsteeringWLANの間満たされているかを指示し得る。いくつかの実施例において、ＷＬＡＮからＵＴＲＡＮへのトラフィックステアリングのために使用される時間間隔は、ＵＴＲＡＮからＷＬＡＮへのトラフィックステアリングのために使用される時間間隔と同じであり得る。他の実施例において、ＲＡＮ支援パラメータは、ＵＴＲＡＮへのトラフィックステアリングのための、及びＷＬＡＮへのトラフィックステアリングのための、それぞれの時間間隔を指示するために、別個のタイマ値を含み得る。制御回路１０８（例えば、制御回路１０８の上位レイヤ）は、条件が満たされているという指示に基づいて、ＷＬＡＮからＵＴＲＡＮにトラフィックをステアリングし得る。いくつかの実施例において、上位レイヤは、もしアクセス層により提供された指示がユーザの好みに反するならば、又はもしＵＥ１０４がＡＮＤＳＦポリシーを提供されているならば、アクセス層により提供された指示を無視し得る。
【００４３】
ＷＬＡＮにトラフィックをステアリングするためのトラフィックステアリングルールの第２のセットは、ＷＬＡＮ条件及びターゲットＵＴＲＡＮセル条件を含み得る。ＷＬＡＮからターゲットＵＴＲＡＮセルにトラフィックをステアリングするためのＷＬＡＮ条件は、ChannelUtilizationWLAN＞ThreshChUtilWLAN，High、BackhaulRateDlWLAN＜ThreshBackhRateDlWLAN，Low、BackhaulRateUlWLAN＜ThreshBackhRateUlWLAN，Low、又はBeaconRSSI＜ThreshRSSIWLAN，Lowを含み得る。したがって、制御回路１０８は、もしＷＬＡＮチャネル使用率が対応するＷＬＡＮチャネル使用率しきい値より大きく、ＷＬＡＮダウンリンクバックホール速度が対応するＷＬＡＮダウンリンクバックホール速度しきい値より小さく、ＷＬＡＮアップリンクバックホール速度が対応するＷＬＡＮアップリンクバックホール速度しきい値より小さいか、又はビーコンＲＳＳＩが対応するＷＬＡＮビーコンＲＳＳＩしきい値より小さいならば、ターゲットＵＴＲＡＮセルにトラフィックをステアリングするためのＷＬＡＮ条件が満たされる、ということを判定し得る。
【００４４】
ＷＬＡＮからターゲットＵＴＲＡＮセルにトラフィックをステアリングするためのＵＴＲＡＮ条件は、Qrxlevmeas＞ThreshServingOffloadWLAN，HighP、及びQqualmeas＞ThreshServingOffloadWLAN，HighQを含み得る。したがって、制御回路１０８は、もしＵＴＲＡＮの測定された受信信号電力値が対応する受信信号電力しきい値より大きく、ＵＴＲＡＮの測定された受信信号品質値が対応する受信信号品質しきい値より大きいならばターゲットＵＴＲＡＮセルにトラフィックをステアリングするためのＵＴＲＡＮ条件が満たされる、ということを判定し得る。
【００４５】
上記で論じられたように、ＲＡＮ支援パラメータは、システム情報メッセージに（例えば、１つ又は複数のＳＩＢに）含まれ得る。いくつかの実施例において、ＲＡＮ支援パラメータは、SystemInformationBlockType23及びSystemInformationBlockType24において送信され得る。一例において、ＲＡＮ支援パラメータの様々なしきい値は、SystemInformationBlockType23に含まれ得るとともに、ターゲットＷＬＡＮ識別子のリストは、SystemInformationBlockType24に含まれ得る。SystemInformationBlockType23及びSystemInformationBlockType24は、下記の表１に従った特性を有し得る。他の実施例において、しきい値とターゲットＷＬＡＮ識別子のリストの両方が、SystemInformationBlockType23に含まれ得る。
【００４６】
【表１】
0006374519.tif 000002
【００４７】
いくつかの実施例において、表２において示されたように、SystemInformationBlockType23は、ＵＴＲＡＮとＷＬＡＮとの間のトラフィックステアリングのためのパラメータを含み得る。
【００４８】
【表２】
0006374519.tif 000003
【００４９】
いくつかの実施例において、表３において示されたように、SystemInformationBlockType24は、ＷＬＡＮ識別子のリストを含み得る。
【００５０】
【表３】
0006374519.tif 000004
【００５１】
ＵＥ１０４は、システム情報ブロックに含まれる全ての関連したＩＥを記憶し得る。もしＵＥ１０４が有効なＡＮＤＳＦポリシーを有しているならば、ＵＥ１０４は、上位レイヤに対して、アクセスネットワーク選択、及びＵＴＲＡＮとＷＬＡＮとの間のトラフィックステアリングのためのＲＡＮ支援パラメータを提供し得る。
【００５２】
上記で論じられたように、ＲＡＮ支援パラメータは、さらに、又はその代わりに、ＵＴＲＡＮモビリティ情報メッセージ又はセル更新確認メッセージにおいて送信され得る。ＵＴＲＡＮモビリティ情報メッセージは、新しいＲＮＴＩを割り当てるとともに、ＵＥ１０４に他のＵＴＲＡＮモビリティ関連の情報を伝達するために、ＵＴＲＡＮにより使用され得る。ＵＴＲＡＮモビリティ情報メッセージのための無線リンク制御サービスアクセスポイント（ＲＬＣ−ＳＡＰ）は、肯定応答モード（acknowledged  mode：ＡＭ）又は非肯定応答モード（unacknowledged  mode：ＵＭ）であり得る。ＵＴＲＡＮモビリティ情報メッセージは、ＵＴＲＡＮ（例えば、ＮｏｄｅＢ１１６）から専用制御チャネル（ＤＣＣＨ）論理チャネルによってＵＥ１０４に送信され得る。ＲＡＮ支援パラメータは、ＵＴＲＡＮモビリティ情報メッセージの任意の要素であり得る。実施例において、ＵＴＲＡＮモビリティ情報メッセージは、表４において概説された要素を含み得る。
【００５３】
【表４】
0006374519.tif 000005
0006374519.tif 000006
【００５４】
セル更新確認メッセージは、セル更新手順を保証し得るとともに、新しいセルにおいて有効であるＵＥ１０４のための新しいＲＮＴＩ情報を再度割り当てるために使用されることができる。セル更新確認メッセージのためのＲＬＣ−ＳＡＰは、ＡＭ又はＵＭであり得る。セル更新確認メッセージは、共通制御チャネル（ＣＣＣＨ）又はＤＣＣＨによってＵＴＲＡＮ（例えば、ＮｏｄｅＢ１１６）からＵＥ１０４に送信され得る。ＲＡＮ支援パラメータは、セル更新確認メッセージの任意の要素であり得る。実施例において、セル更新確認メッセージは、表５において概説された要素を含み得る。
【００５５】
【表５】
0006374519.tif 000007
0006374519.tif 000008
0006374519.tif 000009
0006374519.tif 000010
0006374519.tif 000011
0006374519.tif 000012
0006374519.tif 000013
【００５６】
セル更新確認メッセージは、表６において概説された条件を前提とし得る。
【００５７】
【表６】
0006374519.tif 000014
【００５８】
システム情報メッセージ、ＵＴＲＡＮモビリティ情報メッセージ、及び／又はセル更新確認メッセージに含まれるＲＡＮ支援パラメータは、表７において説明された特性を有し得る。“タイプ及び参照”の列は、対応するしきい値によって指示される可能な値のサイズ及び／又は数を示し得る。しきい値のそれぞれは、対応するメッセージに任意に含まれるかもしれない（又は、含まれないかもしれない）。
【００５９】
【表７】
0006374519.tif 000015
【００６０】
図２は、様々な実施例による、ＵＥ（例えばＵＥ１０４）により実行され得るＵＴＲＡＮからＷＬＡＮへのトラフィックステアリングのための方法２００を例示する。いくつかの実施例において、ＵＥは、命令が記憶された１つ若しくは複数の非一時的なコンピュータ読み取り可能な媒体を含むことができるか、又は命令が記憶された１つ若しくは複数の非一時的なコンピュータ読み取り可能な媒体に対するアクセスを有することができ、命令は実行された場合にＵＥに方法２００を実行させる。
【００６１】
方法２００の２０４において、ＵＥは、ＲＡＮ支援パラメータを取得し得る。ＲＡＮ支援パラメータは、例えば、システムブロードキャストメッセージ、セル更新確認メッセージ、又はＵＴＲＡＮモビリティ情報メッセージから取得され得る。ＲＡＮ支援パラメータは、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、ＷＬＡＮアップリンクバックホール速度しきい値、及びＷＬＡＮビーコンＲＳＳＩしきい値を含み得る。
【００６２】
方法２００の２０８において、ＵＥは、ＵＴＲＡＮのサービングセルと関連付けられた受信信号符号電力測定値がＵＴＲＡＮ受信信号電力しきい値より小さいか、又はＵＴＲＡＮのサービングセルと関連付けられたパイロットチャネル品質測定値がＵＴＲＡＮ受信信号品質しきい値より下であることを判定し得る。
【００６３】
方法２００の２１２において、ＵＥは、ＷＬＡＮのターゲットアクセスポイントと関連付けられたＷＬＡＮチャネル使用率値がＷＬＡＮチャネル使用率しきい値より小さく、ターゲットアクセスポイントと関連付けられた利用可能バックホールダウンリンク帯域幅がＷＬＡＮダウンリンクバックホール速度しきい値より大きく、ターゲットアクセスポイントと関連付けられた利用可能バックホールアップリンク帯域幅がＷＬＡＮアップリンクバックホール速度しきい値より大きく、ターゲットアクセスポイントと関連付けられたビーコンＲＳＳＩがＷＬＡＮビーコンＲＳＳＩしきい値より大きいことを判定し得る。
【００６４】
方法２００の２１６において、ＵＥは、２０８における判定と２１２における判定とに基づいて、ＵＴＲＡＮからＷＬＡＮにトラフィックをステアリングし得る。
【００６５】
図３は、様々な実施例による、ＵＥ（例えばＵＥ１０４）により実行され得るＷＬＡＮからＵＴＲＡＮへのトラフィックステアリングのための方法３００を例示する。いくつかの実施例において、ＵＥは、命令が記憶された１つ若しくは複数の非一時的なコンピュータ読み取り可能な媒体を含むことができるか、又は命令が記憶された１つ若しくは複数の非一時的なコンピュータ読み取り可能な媒体に対するアクセスを有することができ、命令は実行された場合にＵＥに方法３００を実行させる。
【００６６】
方法３００の３０４において、ＵＥは、ＲＡＮ支援パラメータを取得し得る。ＲＡＮ支援パラメータは、例えば、システムブロードキャストメッセージ、セル更新確認メッセージ、又はＵＴＲＡＮモビリティ情報メッセージから取得され得る。ＲＡＮ支援パラメータは、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、ＷＬＡＮアップリンクバックホール速度しきい値、及びＷＬＡＮビーコンＲＳＳＩしきい値を含み得る。
【００６７】
方法３００の３０８において、ＵＥは、ＷＬＡＮのサービングアクセスポイントと関連付けられたＷＬＡＮチャネル使用率値がＷＬＡＮチャネル使用率しきい値より大きく、アクセスポイントと関連付けられた利用可能バックホールダウンリンク帯域幅がＷＬＡＮダウンリンクバックホール速度しきい値より小さく、アクセスポイントと関連付けられた利用可能バックホールアップリンク帯域幅がＷＬＡＮアップリンクバックホール速度しきい値より小さいか、又はアクセスポイントと関連付けられたビーコンＲＳＳＩがＷＬＡＮビーコンＲＳＳＩしきい値より小さいことを判定し得る。
【００６８】
方法３００の３１２において、ＵＥは、ＵＴＲＡＮのターゲットセルと関連付けられた受信信号符号電力測定値がＵＴＲＡＮ受信信号電力しきい値より大きく、ＵＴＲＡＮのターゲットセルと関連付けられたパイロットチャネル品質測定値がＵＴＲＡＮ受信信号品質しきい値より大きいことを判定し得る。
【００６９】
方法３００の３１６において、ＵＥは、３０８における判定と３１２における判定とに基づいて、ＷＬＡＮからＵＴＲＡＮにトラフィックをステアリングし得る。
【００７０】
図４は、様々な実施例による、ネットワークノードにより実行され得るトラフィックステアリングを管理するための方法４００を例示する。例えば、方法４００は、ＵＴＲＡＮの無線ネットワーク制御装置（ＲＮＣ、例えばネットワーク制御装置１４８）により実行され得る。いくつかの実施例において、ネットワークノードは、命令が記憶された１つ若しくは複数の非一時的なコンピュータ読み取り可能な媒体を含むことができるか、又は命令が記憶された１つ若しくは複数の非一時的なコンピュータ読み取り可能な媒体に対するアクセスを有することができ、命令は実行された場合にネットワークノードに方法４００を実行させる。
【００７１】
４０４において、方法４００は、ＵＴＲＡＮとＷＬＡＮとの間のトラフィックステアリングのための第１のＲＡＮ支援パラメータを判定するステップを含み得る。いくつかの実施例において、第１のＲＡＮ支援パラメータは、ＵＴＲＡＮからＷＬＡＮにトラフィックをステアリングするためにＵＥが使用する第１のしきい値のセット、及びＷＬＡＮからＵＴＲＡＮにトラフィックをステアリングするためにＵＥが使用する第２のしきい値のセットを含むことができ、第２のしきい値のセットは、第１のしきい値のセットと異なる。いくつかの実施例において、ネットワークノードは、別のネットワークノードからＲＡＮ支援パラメータのうちの１つ又は複数を受信し得る。例えば、ＲＮＣは、運用・管理・保守（operations，administration，and  maintenance：ＯＡＭ）システムからＷＬＡＮ識別子を受信し得る。
【００７２】
４０８において、方法４００は、ブロードキャストシステム情報メッセージにおいて、第１のＲＡＮ支援パラメータを複数のＵＥに送信するステップを含み得る。例えば、第１のＲＡＮ支援パラメータは、システム情報メッセージの１つ又は複数のシステム情報ブロックに含まれ得る。
【００７３】
４１２において、方法４００は、複数のＵＥのうちの１つ又は複数の特定のＵＥのための第２のＲＡＮ支援パラメータを判定するステップを含み得る。
【００７４】
４１６において、方法４００は、専用のシグナリングによって、第２のＲＡＮ支援パラメータを１つ又は複数の特定のＵＥに送信するステップを含み得る。例えば、第２のＲＡＮ支援パラメータは、ＵＴＲＡＮモビリティ情報メッセージ又はセル更新確認メッセージに含まれ得る。
【００７５】
ここで説明されたＵＥ１０４、ＮｏｄｅＢ１１６、又はネットワーク制御装置１４８は、希望通りに構成されたあらゆる適切なハードウェア、ファームウェア、又はソフトウェアを使用してシステムに実装され得る。図５は、一実施例として、図示されたように相互に接続される、無線周波数（ＲＦ）回路５０４、ベースバンド回路５０８、アプリケーション回路５１２、メモリ／記憶装置５１６、ディスプレイ５２０、カメラ５２４、センサ５２８、入力／出力（Ｉ／Ｏ）インタフェース５３２、又はネットワークインタフェース５３６を含む一例のシステム５００を例示する。
【００７６】
アプリケーション回路５１２は、下記には限定されないが、１つ若しくは複数のシングルコア又はマルチコアプロセッサのような回路を含み得る。（複数の）プロセッサは、汎用プロセッサ及び専用プロセッサ（例えば、グラフィックスプロセッサ、アプリケーションプロセッサなど）のあらゆる組み合わせを含み得る。それらのプロセッサは、メモリ／記憶装置５１６と接続され得るとともに、システム５００上で動作する様々なアプリケーション又はオペレーティングシステムを有効にするために、メモリ／記憶装置５１６に記憶される命令を実行するように構成され得る。
【００７７】
ベースバンド回路５０８は、下記には限定されないが、１つ若しくは複数のシングルコア又はマルチコアプロセッサ、例えばベースバンドプロセッサなどのような回路を含み得る。ベースバンド回路５０８は、ＲＦ回路５０４を通した１つ又は複数の無線アクセスネットワークとの通信を可能にする様々な無線制御機能を処理し得る。無線制御機能は、下記には限定されないが、信号変調、符号化、復号、無線周波数シフトなどを含み得る。いくつかの実施例において、ベースバンド回路５０８は、１つ又は複数の無線通信技術と互換性がある通信を提供し得る。例えば、いくつかの実施例において、ベースバンド回路５０８は、ＥＵＴＲＡＮ若しくは他の無線メトロポリタンエリアネットワーク（ＷＭＡＮ）、無線ローカルエリアネットワーク（ＷＬＡＮ）、又は無線パーソナルエリアネットワーク（ＷＰＡＮ）との通信をサポートし得る。ベースバンド回路５０８が１つより多い無線プロトコルの無線通信をサポートするように構成されている実施例は、マルチモードベースバンド回路と呼ばれ得る。
【００７８】
様々な実施例において、ベースバンド回路５０８は、厳密にベースバンド周波数であると考えられない信号で動作する回路を含み得る。例えば、いくつかの実施例において、ベースバンド回路５０８は、ベースバンド周波数と無線周波数との間にある中間周波数を有する信号で動作する回路を含み得る。
【００７９】
いくつかの実施例において、制御回路１０８若しくは１４０、又は管理回路１５６は、アプリケーション回路５１２又はベースバンド回路５０８に統合され得る。
【００８０】
ＲＦ回路５０４は、非固形媒体を通る変調された電磁放射を使用して無線ネットワークとの通信を可能にし得る。様々な実施例において、ＲＦ回路５０４は、無線ネットワークとの通信を容易にするために、スイッチ、フィルタ、増幅器などを含み得る。
【００８１】
様々な実施例において、ＲＦ回路５０４は、厳密に無線周波数であると考えられない信号で動作する回路を含み得る。例えば、いくつかの実施例において、ＲＦ回路５０４は、ベースバンド周波数と無線周波数との間にある中間周波数を有する信号で動作する回路を含み得る。
【００８２】
いくつかの実施例において、ＵＭＴＳ無線装置１１２、ＷＬＡＮ無線装置１２０、又は無線トランシーバ１３６は、ＲＦ回路５０４に統合され得る。
【００８３】
いくつかの実施例において、ベースバンド回路５０８、アプリケーション回路５１２、又はメモリ／記憶装置５１６の構成要素のコンポーネントのうちのいくつか又は全ては、システムオンチップ（ＳＯＣ）に一緒に実装され得る。
【００８４】
メモリ／記憶装置５１６は、例えばシステム５００のためのデータ又は命令をロードして記憶するために使用され得る。一実施例のためのメモリ／記憶装置５１６は、適切な揮発性メモリ（例えば、ダイナミックランダムアクセスメモリ（ＤＲＡＭ））又は不揮発性メモリ（例えば、フラッシュメモリ）のあらゆる組み合わせを含み得る。
【００８５】
様々な実施例において、Ｉ／Ｏインタフェース５３２は、システム５００とユーザとの対話処理を可能にするように設計された１つ若しくは複数のユーザインタフェース、又はシステム５００と周辺機器との対話処理を可能にするように設計された周辺機器インタフェースを含み得る。ユーザインタフェースは、下記には限定されないが、物理的なキーボード若しくはキーパッド、タッチパッド、スピーカ、マイクロフォンなどを含み得る。周辺コンポーネントインターフェイスは、下記には限定されないが、不揮発性メモリポート、ユニバーサルシリアルバス（ＵＳＢ）ポート、オーディオジャック、及び電源インタフェースを含み得る。
【００８６】
様々な実施例において、センサ５２８は、システム５００に関連する環境条件又は位置情報を判定するための１つ若しくは複数の検出装置を含み得る。いくつかの実施例において、センサは、下記には限定されないが、ジャイロセンサ、加速度計、近接センサ、周囲光センサ、及び測位ユニットを含み得る。測位ユニットは、同様に、測位ネットワークのコンポーネント、例えば全地球測位システム（ＧＰＳ）衛星と通信するために、ベースバンド回路５０８若しくはＲＦ回路５０４の一部であり得るか、又はベースバンド回路５０８若しくはＲＦ回路５０４と相互作用し得る。
【００８７】
様々な実施例において、ディスプレイ５２０は、ディスプレイ（例えば、液晶表示装置、タッチスクリーンディスプレイなど）を含み得る。
【００８８】
様々な実施例において、ネットワークインタフェース５３６は、１つ又は複数の有線ネットワークを介して通信するための回路を含み得る。トランシーバ１４４又は１５２は、ネットワークインタフェース５３６に統合され得る。
【００８９】
様々な実施例において、システム５００は、下記には限定されないが、ラップトップコンピューティング装置、タブレットコンピューティング装置、ネットブック、ウルトラブック、スマートフォンなどのモバイルコンピューティング装置、又はネットワークノード、例えばｅＮＢ若しくはネットワーク制御装置であり得る。様々な実施例において、システム５００は、より多くの構成要素若しくはより少ない構成要素、又は異なる構造を有することができる。
【００９０】
様々な実施例のいくつかの非限定的な実例を下記に示す。
【００９１】
実例１はユーザ装置（ＵＥ）により使用される装置であって、当該装置は、ユニバーサル地上無線アクセスネットワーク（ＵＴＲＡＮ）によって通信するためのユニバーサル移動体通信システム（ＵＭＴＳ）無線装置と、無線ローカルエリアネットワーク（ＷＬＡＮ）によって通信するためのＷＬＡＮ通信装置と、上記ＵＭＴＳ無線装置及び上記ＷＬＡＮ無線装置に接続された制御回路とを備える。上記制御回路は、ブロードキャストシステム情報ブロックにおいて、上記ＵＥに対して専用に提供されたＵＴＲＡＮモビリティ情報メッセージ若しくは上記ＵＥに対して専用に提供されたセル更新確認メッセージ、上記ＵＴＲＡＮと上記ＷＬＡＮとの間のトラフィックステアリングのための１つ又は複数のしきい値を含む無線アクセスネットワーク（ＲＡＮ）パラメータ情報、を受信するとともに、上記しきい値に基づいて、上記ＵＭＴＳ無線装置と上記ＷＬＡＮ無線装置との間でトラフィックをステアリングすることができる。
【００９２】
実例２は実例１の装置であって、上記ＲＡＮパラメータ情報は、上記ＵＴＲＡＮモビリティ情報メッセージ又は上記セル更新確認メッセージにおいて受信される第１のＲＡＮパラメータ情報であり、上記制御回路は、更に、上記ブロードキャストシステム情報ブロックにおいて第２のＲＡＮパラメータ情報を受信するとともに、上記第２のＲＡＮパラメータ情報の代わりに上記第１のＲＡＮパラメータ情報を使用して、上記ＵＭＴＳ無線装置と上記ＷＬＡＮ無線装置との間でトラフィックをステアリングすることができる。
【００９３】
実例３は実例２の装置であって、もし上記ＵＥが上記ＵＴＲＡＮにおけるＣＥＬＬ＿ＦＡＣＨ状態にあるならば、上記制御回路は、セル再選択の際に、上記第１のＲＡＮパラメータ情報を廃棄することができる。
【００９４】
実例４は実例２の装置であって、もし上記ＵＥが上記ＵＴＲＡＮにおけるＣＥＬＬ＿ＤＣＨ状態にあるならば、上記制御回路は、上記ＵＴＲＡＮのサービングセルからターゲットセルへのハンドオーバの際に、上記第１のＲＡＮパラメータ情報を使用し続けることができる。
【００９５】
実例５は実例２の装置であって、上記制御回路は、更に、上記ＵＴＲＡＮにおけるアイドルモード、ＣＥＬＬ＿ＰＣＨ状態、又はＵＲＡ＿ＰＣＨ状態に入ると、タイマを起動し、上記タイマが満了したことを判定するとともに、上記判定に基づいて、上記第１のＲＡＮパラメータ情報を廃棄し、上記第２のＲＡＮパラメータ情報を使用して、上記ＵＭＴＳ無線装置と上記ＷＬＡＮ無線装置との間でトラフィックをステアリングすることができる。
【００９６】
実例６は実例１から実例５のいずれか１つの装置であって、上記ＲＡＮパラメータ情報のうちの上記１つ又は複数のしきい値は、第１のＷＬＡＮビーコン受信信号強度インジケーション（ＲＳＳＩ）しきい値、及び上記第１のＷＬＡＮビーコンＲＳＳＩしきい値より小さい値を有する第２のＷＬＡＮビーコンＲＳＳＩしきい値を含み、上記制御回路は、上記第１のＷＬＡＮビーコンＲＳＳＩしきい値に基づいて、上記ＵＴＲＡＮから上記ＷＬＡＮにトラフィックをステアリングするとともに、上記第２のＷＬＡＮビーコンＲＳＳＩしきい値に基づいて、上記ＷＬＡＮから上記ＵＴＲＡＮにトラフィックをステアリングすることができる。
【００９７】
実例７は実例１の装置であって、上記ＲＡＮパラメータ情報は、トラフィックステアリングのために上記ＵＥが利用可能であるＷＬＡＮアクセスポイントを識別するための１つ又は複数のＷＬＡＮ識別子を更に含む。
【００９８】
実例８は実例１から実例５のいずれか１つの装置であって、上記ＲＡＮパラメータ情報のうちの上記１つ又は複数のしきい値は、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、及びＷＬＡＮアップリンクバックホール速度しきい値を含み、上記制御回路は、上記ＵＴＲＡＮのサービングセルと関連付けられた受信信号符号電力測定値が上記ＵＴＲＡＮ受信信号電力しきい値より小さいか、又は上記ＵＴＲＡＮの上記サービングセルと関連付けられたパイロットチャネル品質測定値が上記ＵＴＲＡＮ受信信号品質しきい値より下であり、そして、上記ＷＬＡＮのターゲットアクセスポイントと関連付けられたＷＬＡＮチャネル使用率値が上記ＷＬＡＮチャネル使用率しきい値より小さく、上記ターゲットアクセスポイントと関連付けられた利用可能バックホールダウンリンク帯域幅が上記ＷＬＡＮダウンリンクバックホール速度しきい値より大きく、上記ターゲットアクセスポイントと関連付けられた利用可能バックホールアップリンク帯域幅が上記ＷＬＡＮアップリンクバックホール速度しきい値より大きいことを判定することができる。実例８の制御回路は、更に、上記判定に基づいて、上記ＵＴＲＡＮから上記ＷＬＡＮにトラフィックをステアリングすることができる。
【００９９】
実例９は実例８の装置であって、上記ＵＴＲＡＮ受信信号品質しきい値、上記ＵＴＲＡＮ受信信号電力しきい値、上記ＷＬＡＮチャネル使用率しきい値、上記ＷＬＡＮダウンリンクバックホール速度しきい値、及び上記ＷＬＡＮアップリンクバックホール速度しきい値は、上記ＷＬＡＮから上記ＵＴＲＡＮにトラフィックをステアリングするために上記制御回路により使用される対応するしきい値と異なる。
【０１００】
実例１０は実例８の装置であって、上記ＲＡＮパラメータ情報のうちの上記１つ又は複数のしきい値は、ＵＴＲＡＮ受信信号品質しきい値、ＵＴＲＡＮ受信信号電力しきい値、ＷＬＡＮチャネル使用率しきい値、ＷＬＡＮダウンリンクバックホール速度しきい値、及びＷＬＡＮアップリンクバックホール速度しきい値を含み、上記制御回路は、上記ＷＬＡＮのサービングアクセスポイントと関連付けられたＷＬＡＮチャネル使用率値が上記ＷＬＡＮチャネル使用率しきい値より大きく、上記サービングアクセスポイントと関連付けられた利用可能バックホールダウンリンク帯域幅が上記ＷＬＡＮダウンリンクバックホール速度しきい値より小さいか、又は上記サービングアクセスポイントと関連付けられた利用可能バックホールアップリンク帯域幅が上記ＷＬＡＮアップリンクバックホール速度しきい値より小さく、そして、上記ＵＴＲＡＮのターゲットセルと関連付けられた受信信号符号電力測定値が上記ＵＴＲＡＮ受信信号電力しきい値より大きく、上記ＵＴＲＡＮの上記ターゲットセルと関連付けられたパイロットチャネル品質測定値が上記ＵＴＲＡＮ受信信号品質しきい値より大きいことを判定することができる。実例１０の制御回路は、更に、上記判定に基づいて、上記ＷＬＡＮから上記ＵＴＲＡＮにトラフィックをステアリングすることができる。
【０１０１】
実例１１はユニバーサル地上無線アクセスネットワーク（ＵＴＲＡＮ）のネットワーク制御装置により使用される装置であって、当該装置は、上記ＵＴＲＡＮによってユーザ装置（ＵＥ）と通信するためのトランシーバ回路と、上記トランシーバ回路に接続された管理回路とを備える。実例１１の上記管理回路は、上記トランシーバ回路によって、ブロードキャストシステム情報ブロック、上記ＵＥに対して専用に提供されたＵＴＲＡＮモビリティ情報メッセージ若しくは上記ＵＥに対して専用に提供されたセル更新確認メッセージ、上記ＵＴＲＡＮから無線ローカルエリアネットワーク（ＷＬＡＮ）にトラフィックをステアリングするために上記ＵＥが使用する第１のしきい値のセット及び上記ＷＬＡＮから上記ＵＴＲＡＮにトラフィックをステアリングするために上記ＵＥが使用する第２のしきい値のセットを含む無線アクセスネットワーク（ＲＡＮ）パラメータ情報、を送信することができ、上記第２のしきい値のセットは、上記第１のしきい値のセットと異なる。
【０１０２】
実例１２は実例１１の装置であって、上記第１のしきい値のセットは、下位ＵＴＲＡＮ受信信号品質しきい値、下位ＵＴＲＡＮ受信信号電力しきい値、下位ＷＬＡＮチャネル使用率しきい値、上位ＷＬＡＮダウンリンクバックホール速度しきい値、及び上位ＷＬＡＮアップリンクバックホール速度しきい値を含み、上記第２のしきい値のセットは、上位ＵＴＲＡＮ受信信号品質しきい値、上位ＵＴＲＡＮ受信信号電力しきい値、上位ＷＬＡＮチャネル使用率しきい値、下位ＷＬＡＮダウンリンクバックホール速度しきい値、及び下位ＷＬＡＮアップリンクバックホール速度しきい値を含む。
【０１０３】
実例１３は実例１２の装置であって、上記第１のしきい値のセットは、上位ＷＬＡＮビーコン受信信号強度インジケータ（ＲＳＳＩ）しきい値を更に含み、上記第２のしきい値のセットは、下位ＷＬＡＮビーコンＲＳＳＩしきい値を更に含む。
【０１０４】
実例１４は実例１１の装置であって、上記管理回路は、更に、上記トランシーバ回路によって、上記ＵＥに、トラフィックステアリングのために上記ＵＥが利用可能である１つ又は複数のＷＬＡＮアクセスポイントを識別するための１つ又は複数のＷＬＡＮ識別子を送信することができる。
【０１０５】
実例１５は実例１１から実例１４のいずれか１つの装置であって、上記ＲＡＮパラメータ情報は、上記セル更新確認メッセージに含まれる。
【０１０６】
実例１６は実例１１の装置であって、上記管理回路は、更に、上記第１のしきい値のセット及び上記第２のしきい値のセットのしきい値のための値を判定することができる。
【０１０７】
実例１７は実例１１の装置であって、上記ネットワーク制御装置は、上記ＵＴＲＡＮのＮｏｄｅＢである。
【０１０８】
実例１８は命令が記憶された１つ又は複数の非一時的なコンピュータ読み取り可能な媒体であって、上記命令は実行された場合にユーザ装置（ＵＥ）に、ユニバーサル地上無線アクセスネットワーク（ＵＴＲＡＮ）受信信号品質しきい値、ＵＴＲＡＮ受信信号電力しきい値、無線ローカルエリアネットワーク（ＷＬＡＮ）チャネル使用率しきい値、ＷＬＡＮダウンリンクバックホール速度しきい値、ＷＬＡＮアップリンクバックホール速度しきい値、及びＷＬＡＮビーコンＲＳＳＩしきい値を含む無線アクセスネットワーク（ＲＡＮ）パラメータ情報を、上記ＵＥに対して指定されたセル更新確認メッセージから取得させ、上記ＵＴＲＡＮのサービングセルと関連付けられた受信信号符号電力測定値が上記ＵＴＲＡＮ受信信号電力しきい値より小さいか、又は上記ＵＴＲＡＮの上記サービングセルと関連付けられたパイロットチャネル品質測定値が上記ＵＴＲＡＮ受信信号品質しきい値より下であり、そして、上記ＷＬＡＮのターゲットアクセスポイントと関連付けられたＷＬＡＮチャネル使用率値が上記ＷＬＡＮチャネル使用率しきい値より小さく、上記ターゲットアクセスポイントと関連付けられた利用可能バックホールダウンリンク帯域幅が上記ＷＬＡＮダウンリンクバックホール速度しきい値より大きく、上記ターゲットアクセスポイントと関連付けられた利用可能バックホールアップリンク帯域幅が上記ＷＬＡＮアップリンクバックホール速度しきい値より大きく、上記ターゲットアクセスポイントと関連付けられたビーコンＲＳＳＩが上記ＷＬＡＮビーコンＲＳＳＩしきい値より大きいことを判定させるとともに、上記判定に基づいて、上記ＵＴＲＡＮから上記ＷＬＡＮにトラフィックをステアリングさせる。
【０１０９】
実例１９は実例１８の１つ又は複数の媒体であって、上記ＵＴＲＡＮ受信信号品質しきい値、上記ＵＴＲＡＮ受信信号電力しきい値、上記ＷＬＡＮチャネル使用率しきい値、上記ＷＬＡＮダウンリンクバックホール速度しきい値、及び上記ＷＬＡＮアップリンクバックホール速度しきい値は、上記ＷＬＡＮから上記ＵＴＲＡＮにトラフィックをステアリングするために上記ＵＥにより使用される対応するしきい値と異なる。
【０１１０】
実例２０は実例１８又は実例１９の１つ又は複数の媒体であって、上記ＲＡＮパラメータ情報は、第１のＲＡＮパラメータ情報であり、上記命令は、実行された場合に、上記ＵＥに、更に、ブロードキャストシステム情報ブロックメッセージから第２のＲＡＮパラメータ情報を取得させるとともに、上記第２のＲＡＮパラメータ情報の代わりに上記第１のＲＡＮパラメータ情報を使用して、上記ＵＭＴＳ無線装置と上記ＷＬＡＮ無線装置との間でトラフィックをステアリングさせる。
【０１１１】
実例２１は実例２０の１つ又は複数の媒体であって、上記命令は、実行された場合に、上記ＵＥに、更に、上記ＵＥが上記ＵＴＲＡＮにおけるＣＥＬＬ＿ＦＡＣＨ状態にあることを判定させ、サービングセルを変更するために上記ＵＴＲＡＮにおけるセル再選択を実行させるとともに、上記ＵＥが上記ＣＥＬＬ＿ＦＡＣＨ状態にあるという上記判定に基づいて、上記セル再選択の際に、上記第１のＲＡＮパラメータ情報を廃棄させる。
【０１１２】
実例２２は実例２０の１つ又は複数の媒体であって、上記命令は、実行された場合に、上記ＵＥに、更に、上記ＵＥが上記ＵＴＲＡＮにおけるＣＥＬＬ＿ＤＣＨ状態にあることを判定させ、上記ＵＴＲＡＮのサービングセルからターゲットセルへのハンドオーバを実行させるとともに、上記ハンドオーバのあとで、上記第１のＲＡＮパラメータ情報を使用し続けさせる。
【０１１３】
実例２３はユーザ装置（ＵＥ）であって、ユニバーサル地上無線アクセスネットワーク（ＵＴＲＡＮ）受信信号品質しきい値、ＵＴＲＡＮ受信信号電力しきい値、無線ローカルエリアネットワーク（ＷＬＡＮ）チャネル使用率しきい値、ＷＬＡＮダウンリンクバックホール速度しきい値、ＷＬＡＮアップリンクバックホール速度しきい値、及びＷＬＡＮビーコンＲＳＳＩしきい値を含む無線アクセスネットワーク（ＲＡＮ）パラメータ情報を、当該ＵＥに対して指定されたセル更新確認メッセージから取得する手段と、上記ＵＴＲＡＮのサービングセルと関連付けられた受信信号符号電力測定値が上記ＵＴＲＡＮ受信信号電力しきい値より小さいか、又は上記ＵＴＲＡＮの上記サービングセルと関連付けられたパイロットチャネル品質測定値が上記ＵＴＲＡＮ受信信号品質しきい値より下であり、そして、上記ＷＬＡＮのターゲットアクセスポイントと関連付けられたＷＬＡＮチャネル使用率値が上記ＷＬＡＮチャネル使用率しきい値より小さく、上記ターゲットアクセスポイントと関連付けられた利用可能バックホールダウンリンク帯域幅が上記ＷＬＡＮダウンリンクバックホール速度しきい値より大きく、上記ターゲットアクセスポイントと関連付けられた利用可能バックホールアップリンク帯域幅が上記ＷＬＡＮアップリンクバックホール速度しきい値より大きく、上記ターゲットアクセスポイントと関連付けられたビーコンＲＳＳＩが上記ＷＬＡＮビーコンＲＳＳＩしきい値より大きいことを判定する手段と、上記判定に基づいて、上記ＵＴＲＡＮから上記ＷＬＡＮにトラフィックをステアリングする手段とを備える。
【０１１４】
実例２４は実例２３のＵＥであって、上記ＵＴＲＡＮ受信信号品質しきい値、上記ＵＴＲＡＮ受信信号電力しきい値、上記ＷＬＡＮチャネル使用率しきい値、上記ＷＬＡＮダウンリンクバックホール速度しきい値、及び上記ＷＬＡＮアップリンクバックホール速度しきい値は、上記ＷＬＡＮから上記ＵＴＲＡＮにトラフィックをステアリングするために当該ＵＥにより使用される対応するしきい値と異なる。
【０１１５】
実例２５は実例２３又は実例２４のＵＥであって、上記ＲＡＮパラメータ情報は、第１のＲＡＮパラメータ情報であり、当該ＵＥは、ブロードキャストシステム情報ブロックメッセージから第２のＲＡＮパラメータ情報を取得する手段と、上記第２のＲＡＮパラメータ情報の代わりに上記第１のＲＡＮパラメータ情報を使用して、上記ＵＭＴＳ無線装置と上記ＷＬＡＮ無線装置との間でトラフィックをステアリングする手段とを更に備える。
【０１１６】
実例２６は実例２５のＵＥであって、当該ＵＥが上記ＵＴＲＡＮにおけるＣＥＬＬ＿ＦＡＣＨ状態にあることを判定する手段と、サービングセルを変更するために上記ＵＴＲＡＮにおけるセル再選択を実行する手段と、当該ＵＥが上記ＣＥＬＬ＿ＦＡＣＨ状態にあるという上記判定に基づいて、上記セル再選択の際に、上記第１のＲＡＮパラメータ情報を廃棄する手段とを更に備える。
【０１１７】
実例２７は実例２５のＵＥであって、当該ＵＥが上記ＵＴＲＡＮにおけるＣＥＬＬ＿ＤＣＨ状態にあることを判定する手段と、上記ＵＴＲＡＮのサービングセルからターゲットセルへのハンドオーバを実行する手段と、上記ハンドオーバのあとで、上記第１のＲＡＮパラメータ情報を使用し続ける手段とを更に備える。
【０１１８】
要約書に記載されているものを含む例示された実装例の本明細書における説明は、網羅的であること、又は本開示を開示された正確な形態に限定することを意図していない。例示の目的のために特定の実装例及び実施例が本明細書に記載される一方、当業者が認識することになるように、様々な等価の変更が本開示の範囲内で可能である。これらの変更は、上記の詳細な説明に照らして本開示に対して行われ得る。
0006374519.tif 000016
【図１】
0006374519.tif 000017
【図２】
0006374519.tif 000018
【図３】
0006374519.tif 000019
【図４】
0006374519.tif 000020
【図５】
0006374519.tif 000021